(57)【要約】【課題】極めて良好なフィット性を有し排泄物の横漏れを強力に防止することのできる吸収性物品を提供する。【解決手段】パッド型吸収性物品１においては、吸収体１０１の長手方向に沿って吸収体１０１の両側部に一部又は全部が重なるように側部弾性体部１７が設けられている。側部弾性体部１７は、内面シート１０３の下面に吸収体１０１の長手方向に沿って並列に配設された複数の弾性体１０７ａ〜ｃから構成されており、吸収体１０１の短手方向に対して外側に配された弾性体１０７ａ及び１０７ｂよりも、内側に配された弾性体１０７ｃの方が張力が強くなっている。【選択図】図１
2014042742.tif 000002
【特許請求の範囲】
【請求項１】
縦長のシート状の吸収体と、
前記吸収体の両側部に一部又は全部が重なるように前記吸収体の長手方向に沿って並列に配設された複数の弾性体と、
を備え、
前記複数の弾性体は、前記吸収体の短手方向に対して外側よりも内側の張力が強くなるように構成されていることを特徴とする、吸収性物品。
【請求項２】
前記複数の弾性体は、前記吸収体の短手方向に対して外側よりも内側の弾性体の方が弾性率が高いことを特徴とする、請求項１に記載の吸収性物品。
【請求項３】
前記複数の弾性体は、前記吸収体の短手方向に対して外側よりも内側の弾性体の方が強く伸張されていることを特徴とする、請求項１又は２に記載の吸収性物品。
【請求項４】
前記複数の弾性体は、前記吸収体の短手方向に対して外側よりも内側の弾性体の方が径が太いことを特徴とする、請求項１乃至３の何れか１項に記載の吸収性物品。
【請求項５】
前記複数の弾性体は、前記吸収体の短手方向に対して外側よりも内側の弾性体の方が間隔が密となるように配されていることを特徴とする、請求項１乃至４の何れか１項に記載の吸収性物品。
【請求項６】
前記弾性体は、糸状、紐状又は帯状である、請求項１乃至５の何れか１項に記載の吸収性物品。
【請求項７】
パッド型、ベルト型、テープ止め型又はパンツ型である、請求項１乃至６の何れか１項に記載の吸収性物品。
【発明の詳細な説明】
【技術分野】
【０００１】
本発明は使い捨ておむつや衛生ナプキン等の吸収性物品に関する。詳しくは、極めて良好なフィット性を有し排泄物の横漏れを強力に防止することのできる吸収性物品に関するものである。
【背景技術】
【０００２】
使い捨ておむつや衛生ナプキン等の吸収性物品は、使用者の股間部に宛がい尿や血液等の排泄物を吸収・保持するための縦長の吸収体を備えたシート状の構造体である。吸収性物品では、通常、排泄物が吸収性物品の側部から脚周りに漏洩する所謂横漏れを防止するために、不織布等の帯状体の内部に糸ゴム等の弾性体を配設して吸収性物品の両側部の内側端縁に起立するように構成した立体ギャザーや、吸収体の介在しないサイドフラップ部に複数の糸ゴム等の弾性体を長手方向に沿って敷設して形成した平面ギャザー等を設けて、吸収性物品の両側部と脚周りとの間をシールする構造が採られている。
【０００３】
しかしながら、吸収性物品を長時間使用していると、時間の経過と共に排泄物が吸収されて吸収体の重量が増加し、吸収体が下方にずれて股間に隙間が生じてしまい、立体ギャザーや平面ギャザー等ではシール性が不十分となり、これらの隙間から漏れや臭いが生じるという問題を有していた。
【０００４】
これに対し、吸収体の長手方向に沿って吸収体の両側部に重なるように配設された複数の弾性体からなる側部弾性体部を備えた吸収性物品が提案されている（特許文献１参照）。図６は、側部弾性体部を備えた従来のパッド型の吸収性物品の構成を示す概略平面図である。図６において、パッド型吸収性物品９には、吸収体９０１の両側部に略重なるように側部弾性体部９７が設けられている。側部弾性体部９７は、内面シート９０３の下面に吸収体９０１の長手方向に沿って並列に配設された複数の弾性体からなり、吸収体９０１の短手方向に対して内側よりも外側の弾性体の方が強い張力となるように構成されている。これにより、吸収物品９は、排泄物が吸収されて吸収体９０１の重量が増加しても、側部弾性体部９７を構成する弾性体の張力により股間に押し付けられて吸収体９０１と股間との間に間隙が生じることがなくなるとともに、側部弾性体部９７を構成する弾性体の張力の差により内側よりも外側の方が股間に強く押し付けられて横断面が略円弧状に形成され吸収性物品９の保形性が維持されるので、漏洩を効果的に防止することができるものである。
【先行技術文献】
【特許文献】
【０００５】
【特許文献１】特開２００３−１３５５２３号公報
【発明の概要】
【発明が解決しようとする課題】
【０００６】
しかしながら、上記従来の吸収性物品は、身体に装着して使用しているうちに、図７に示すように、側部弾性体部９７のうち張力の最も強い最外側の弾性体９０７ａが、当接する使用者の身体部位のうち最も窪んでいる鼠径部Ｂに次第に寄ってきてしまい、吸収性物品９と股間Ａとの間に間隙が生じて縒れたり弛んだりしてしまうので、排泄物の横漏れを完全には防止することができないという問題があった。
【０００７】
本発明は上記従来技術の有する問題点に鑑みなされたものであり、その目的とするところは、極めて良好なフィット性を有し排泄物の横漏れを強力に防止することのできる吸収性物品を提供することにある。
【課題を解決するための手段】
【０００８】
本発明の上記目的は、下記の手段によって達成される。
【０００９】
（１）即ち、本発明は、縦長のシート状の吸収体と、前記吸収体の両側部に一部又は全部が重なるように前記吸収体の長手方向に沿って並列に配設された複数の弾性体と、を備え、前記複数の弾性体は、前記吸収体の短手方向に対して外側よりも内側の張力が強くなるように構成されていることを特徴とする、吸収性物品である。
【００１０】
（２）本発明はまた、前記複数の弾性体は、前記吸収体の短手方向に対して外側よりも内側の弾性体の方が弾性率が高いことを特徴とする、（１）に記載の吸収性物品である。
【００１１】
（３）本発明はまた、前記複数の弾性体は、前記吸収体の短手方向に対して外側よりも内側の弾性体の方が強く伸張されていることを特徴とする、（１）又は（２）に記載の吸収性物品である。
【００１２】
（４）本発明はまた、前記複数の弾性体は、前記吸収体の短手方向に対して外側よりも内側の弾性体の方が径が太いことを特徴とする、（１）乃至（３）の何れか１つに記載の吸収性物品である。
【００１３】
（５）本発明はまた、前記複数の弾性体は、前記吸収体の短手方向に対して外側よりも内側の弾性体の方が間隔が密となるように配されていることを特徴とする、（１）乃至（４）の何れか１つに記載の吸収性物品である。
【００１４】
（６）本発明はまた、前記弾性体は、糸状、紐状又は帯状である、（１）乃至（５）の何れか１つに記載の吸収性物品である。
【００１５】
（７）本発明はまた、パッド型、ベルト型、テープ止め型又はパンツ型である、（１）乃至（６）の何れか１つに記載の吸収性物品である。
【発明の効果】
【００１６】
本発明の吸収性物品によれば、吸収体の両側部に一部又は全部が重なるように前記吸収体の長手方向に沿って並列に配設された複数の弾性体を有し、前記複数の弾性体は、前記吸収体の短手方向に対して外側よりも内側の張力が強くなるように構成されているので、排泄物が吸収されて吸収体の重量が増加しても、前記複数の弾性体の張力により吸収性物品が股間に押し付けられて吸収体と股間との間に間隙が生じることがなくなるとともに、前記弾性体の張力の差により、張力の最も強い最内側の弾性体が使用者の鼠径部に沿って定位するので、吸収性物品が縒れたり弛んだりすることなく使用者の股間部に当接し、極めて良好なフィット性を実現することができる。
【００１７】
また、本発明の吸収性物品によれば、前記弾性体の張力の差により、張力の弱い外側の弾性体が使用者の大腿部の付け根部分に定位するので、吸収体が大腿部にまで延出されて弾性体により押止されていることにより、排泄物の横漏れをより確実に防止することができる。
【図面の簡単な説明】
【００１８】
【図１】本発明の第１の実施形態にかかるパッド型吸収性物品の構成を示す概略平面図である。
【図２】本発明の第１の実施形態にかかるパッド型吸収性物品の使用時の状態を模式的に表した横断面図である。
【図３】本発明の第２の実施形態にかかるベルト型吸収性物品の構成を示す概略平面図である。
【図４】本発明の第３の実施形態にかかるテープ止め型吸収性物品の構成を示す概略平面図である。
【図５】本発明の第４の実施形態にかかるパンツ型吸収性物品の構成を示す概略平面図である。
【図６】側部弾性体部を備えた従来のパッド型吸収性物品の構成を示す概略平面図である。
【図７】側部弾性体部を備えた従来のパッド型吸収性物品の使用時の状態を模式的に表した横断面図である。
【発明を実施するための形態】
【００１９】
以下、本発明の実施の形態を、図面を参照して詳細に説明する。なお、各実施形態において、同一の名称を有する部材は、特に説明のない限り同一の構成及び機能を有するものであり、説明の重複を避けるため初回のみその説明を行い、２回目以降はその説明を省略する。
【００２０】
図１は、本発明の第１の実施形態に係るパッド型吸収性物品の構成を示す概略平面図である。本実施形態に係るパッド型吸収性物品１は、下着やおむつ等のアウターの内面に取り付けて使用されるインナー型の使い捨ておむつや衛生ナプキン等であり、図１に示すように、平面形状が略瓢箪形の縦長シート状の吸収体１０１と、吸収体１０１の上面に配設された内面シート１０３と、吸収体１０１の下面に配設されたバックシート１０５とから構成されている。
【００２１】
内面シート１０３は、例えば不織布等の液透過性材料からなり、装着時に肌側に位置して尿や血液等をパッド型吸収性物品１の内部に透過させるようになっている。吸収体１０１は、吸収紙、綿状パルプ、高分子吸収材等の吸収性材料が組み合わされてなり、内面シート１０３を透過した尿や血液等を吸収して内部に保持するようになっている。バックシート１０５は、例えばポリエチレン等の液不透過性材料からなり、装着時にアウター側に位置して、吸収体１０１が吸収した尿や血液等をパッド型吸収性物品１の外部に漏出させないようになっている。
【００２２】
パッド型吸収性物品１では、内面シート１０３とバックシート１０５との間に内面シート１０３が介在する吸収体介在部１１がその略全体に亘って設けられているとともに、吸収体介在部１１の縁辺には、内面シート１０３及びバックシート１０５を延出させてなる、吸収体１０１の介在していないサイドフラップ部１３が設けられている。また、パッド型吸収性物品１の内面シート１０３の上面には、不織布等からなり内部にゴム等の糸状の弾性体１０７ｆを敷設して起立するように構成された立体ギャザー１５が設けられており、これによっても排泄物の横漏れ等を防止するようになっている。
【００２３】
更に、本実施形態に係るパッド型吸収性物品１においては、吸収体１０１の長手方向に沿って吸収体１０１の両側部に略重なるように側部弾性体部１７が設けられている。側部弾性体部１７は、例えばゴムや熱可塑性エラストマー等からなる複数の糸状の弾性体１０７ａ〜ｃが、内面シート１０３の下面に吸収体１０１の長手方向に沿って並列かつ略等間隔に配設されて構成されている。そして、側部弾性体部１７は、吸収体１０１の短手方向に対して外側に配された弾性体１０７ａ及び１０７ｂよりも、内側に配された弾性体１０７ｃの方が弾性率の高いものが用いられており、これにより外側よりも内側の弾性体の張力が強くなるように構成されている。
【００２４】
図２は、パッド型吸収性物品１の使用時の状態を模式的に表した横断面図である。但し、図中、説明の簡易化のため、サイドフラップ部、立体ギャザー及びアウター（下着等）は省略して吸収体介在部のみを示している。
【００２５】
従来の側部弾性体部を備えた吸収性物品では、側部弾性体部は内側よりも外側の弾性体の方が強い張力となるように構成されているので、使用しているうちに張力の最も強い最外側の弾性体が鼠径部に次第に寄ってきてしまい、吸収性物品と股間との間に間隙が生じて縒れたり弛んだりしてしまうという問題があった（図７参照）。これに対し、本実施形態に係るパッド型吸収性物品１では、図２に示すように、パッド型吸収性物品１を下着等のアウターに宛がって身体に装着すると、側部弾性体部１７のうち張力の最も強い最内側の弾性体１０７ｃが、パッド型吸収性物品１の当接する使用者の身体部位のうち最も窪んでいる鼠径部Ｂに沿って定位し、結果としてそれよりも張力の弱い外側の弾性体１０７ａ及び１０７ｂが使用者の大腿部Ｃの付け根部分に定位するので、パッド型吸収性物品１の吸収体介在部１１が縒れたり弛んだりすることなく使用者の股間部Ａに当接し極めて良好なフィット性が得られるとともに、吸収体介在部１１が大腿部Ｃにまで延出されて弾性体１０７ａ及び１０７ｂにより押止されているので、尿や血液等の横漏れを強力に防止することができる。
【００２６】
図３は、本発明の第２の実施形態に係るベルト型吸収性物品の構成を示す概略平面図である。本実施形態に係るベルト型吸収性物品３は、身体に直接装着して使用される簡易型の使い捨ておむつであり、図１に示すように、略矩形で長手方向中央両側部が切欠いた平面形状を有する内面シート３０３と、内面シート３０３の下面に配設された略同一形状のバックシート３０５と、内面シート３０３とバックシート３０５との間に配設された平面が略矩形の縦長シート状の吸収体３０１とから構成されている。ベルト型吸収性物品３の下端部には、短手方向に沿ってウエストベルト３９が設けられており、上端部を使用者の背中側から股間を通して腹部側に渡し、ウエストベルト３９を腹部側の上端部上に回して面ファスナー３０９で係止することにより、立ったまま或いは座ったままズボンや下着を脱がすことなく簡単にベルト型吸収性物品３を装着することができるようになっている。また、ベルト型吸収性物品３の内面シート３０３上には、内部に糸状の弾性体３０７ｆを敷設して構成された立体ギャザー３５が設けられているとともに、サイドフラップ部３３には、糸状の弾性体３０７ｇを敷設して構成された平面ギャザー３６が設けられており、これらによっても排泄物の横漏れ等を防止するようになっている。
【００２７】
更に、ベルト型吸収性物品３においては、吸収体３０１の長手方向に沿って吸収体３０１の両側部に略重なるように側部弾性体部３７が設けられている。側部弾性体部３７は、複数の糸状の弾性体３０７ａ〜ｃが、内面シート３０３の下面に吸収体３０１の長手方向に沿って並列かつ略等間隔に配設されて構成されている。そして、側部弾性体部３７は、吸収体３０１の短手方向に対して外側に配された弾性体３０７ａ及び３０７ｂよりも、内側に配された弾性体３０７ｃの方が強く伸張された状態で敷設されており、これにより外側よりも内側の弾性体の張力が強くなるように構成されている。ベルト型吸収性物品３は、係る構成により、側部弾性体部３７のうち張力の最も強い最内側の弾性体３０７ｃが使用者の鼠径部に沿って定位し、それよりも張力の弱い外側の弾性体３０７ａ及び３０７ｂが使用者の大腿部の付け根部分に定位するので、優れたフィット性と横漏れ防止効果を実現することができる。
【００２８】
図４は、本発明の第３の実施形態に係るテープ止め型吸収性物品の構成を示す概略平面図である。本実施形態に係るテープ止め型吸収性物品５は、身体に直接装着して使用される使い捨ておむつであり、図４に示すように、略矩形で長手方向中央両側部が切欠いた平面形状を有する内面シート５０３と、内面シート５０３の下面に配設された略同一形状のバックシート５０５と、内面シート５０３とバックシート５０５との間に配設された略同一形状の吸収体５０１とから構成されている。テープ止め型吸収性物品５の下端部の両側部には、端部に面ファスナー５０９ａが配設された係止部５９が設けられているとともに、上端部にも面ファスナー５０９ｂが設けられており、上端部を使用者の背中側から股間を通して腹部側に渡し、係止部５９を腹部側の上端部上に回して面ファスナー５０９ａと５０９ｂとで係止することにより、容易にテープ止め型吸収性物品５を装着することができるようになっている。また、テープ止め型吸収性物品５の内面シート５０３上には、内部に糸状の弾性体５０７ｆを敷設して構成された立体ギャザー５５が設けられているとともに、サイドフラップ部５３には、糸状の弾性体５０７ｇを敷設して構成された平面ギャザー５６が設けられており、これらによっても排泄物の横漏れ等を防止するようになっている。
【００２９】
更に、テープ止め型吸収性物品５においては、吸収体５０１の長手方向に沿って吸収体５０１の両側部に略重なるように側部弾性体部５７が設けられている。側部弾性体部５７は、複数の糸状の弾性体５０７ａ〜ｃが、内面シート５０３の下面に吸収体５０１の長手方向に沿って並列かつ略等間隔に配設されて構成されている。そして、側部弾性体部５７は、吸収体５０１の短手方向に対して外側に配された弾性体５０７ａ及び５０７ｂよりも、内側に配された弾性体５０７ｃの方が径の太いものが用いられており、これにより外側よりも内側の弾性体の張力が強くなるように構成されている。テープ止め型吸収性物品５は、係る構成により、側部弾性体部５７のうち張力の最も強い最内側の弾性体５０７ｃが使用者の鼠径部に沿って定位し、それよりも張力の弱い外側の弾性体５０７ａ及び５０７ｂが使用者の大腿部の付け根部分に定位するので、優れたフィット性と横漏れ防止効果を実現することができる。
【００３０】
図５は、本発明の第４の実施形態に係るパンツ型吸収性物品の展開した状態を示す概略平面図である。本実施形態に係るパンツ型吸収性物品７は、パンツのように装着して使用される使い捨ておむつであり、図５に示すように、略矩形で長手方向中央両側部が切欠いた平面形状を有する裏面シート７０８と、裏面シート７０８の下面に配設された略同一形状の表面シート７０９とからなるパンツ外装体７６に、内面シート７０３とバックシート７０５との間に吸収体７０１が配設されてなる吸収本体７８が取り付けられて構成されている。パンツ型吸収性物品７の内面シート７０３上には、内部に糸状の弾性体７０７ｆを敷設して構成された立体ギャザー７５が設けられているとともに、パンツ外装体７６には、糸状の弾性体７０７ｇを敷設して構成された平面ギャザー７６が設けられており、これらによっても排泄物の横漏れ等を防止するようになっている。また、パンツ型吸収性物品７の両端部には、複数の糸状の弾性体７０７ｈが、内面シート７０３の下面に吸収体７０１の短手方向に沿って並列かつ略等間隔に配設されて構成されたウエストギャザー７９が設けられており、排泄物の胴周りからの漏洩を防止するようになっている。更に、吸収体７０１の長手方向の中央部を除く部分であって吸収体７０１の介在しない部分には、内面シート７０３の下面に、吸収体７０１の短手方向に沿って並列かつ略等間隔に複数の糸状の弾性体７０７ｉが配設されており、これにより、パンツ型吸収性物品７を使用者の肌側に密着させるとともに吸収性物品の保形性を維持してフィット性と排泄物の漏洩防止効果を高めるようになっている。
【００３１】
更に、パンツ型吸収性物品７においては、吸収体７０１の長手方向に沿って吸収体７０１の両側部に略重なるように側部弾性体部７７が設けられている。側部弾性体部７７は、複数の糸状の弾性体７０７ａ〜ｅが、内面シート７０３の下面に吸収体７０１の長手方向に沿って並列に配設されて構成されている。そして、側部弾性体部７７は、吸収体７０１の短手方向に対して外側に配された弾性体７０７ａ及び７０７ｂよりも、内側に配された弾性体７０７ｃ〜ｅの方が間隔が密となるように配されており、これにより外側よりも内側の弾性体の張力が強くなるように構成されている。パンツ型吸収性物品７は、係る構成により、側部弾性体部７７のうち張力の最も強い最内側の弾性体５０７ｃ〜ｅが使用者の鼠径部に沿って定位し、それよりも張力の弱い外側の弾性体５０７ａ及び５０７ｂが使用者の大腿部の付け根部分に定位するので、優れたフィット性と横漏れ防止効果を実現することができる。
【００３２】
本発明の吸収性物品は、上記した実施形態に限定されるものではなく、本発明の要旨を逸脱しない範囲内において種々変更を加え得ることは勿論である。例えば、上記実施形態にかかる吸収性物品や吸収体、内面シート、バックシート等の形状や材質は、上述したもの以外にも各種の形状や材質を用いることができる。
【００３３】
また、上記実施形態にかかる吸収性物品は、上述した立体ギャザー、平面ギャザー、ウエストギャザー等の漏洩防止機構を必ずしも備えている必要はなく、そのうちのいくつか又は全てを有していなくてもよいし、或いはそれ以外の漏洩防止機構を備えていてもよい。
【００３４】
更に、上記実施形態にかかる吸収性物品において、側部弾性体部を構成する弾性体は、吸収体の両側部に対して、一部の弾性体のみが重なっていてもよいし、全部の弾性体が重なっていてもよい。また、これらの弾性体の形状は、糸状以外にも紐状、帯状等であってもよいし、その配設数は例示した本数より少なくてもよいし多くても構わない。また、これらの弾性体は、内面シートの下面ではなく、バックシートの上面又は吸収体の内部に敷設されていても構わない。更に、これらの弾性体は、吸収体の短手方向に対して最内側の１本又は複数本と、それ以外の弾性体との間で張力が異なるように（張力が大小２段階で変化するように）構成してもよいし、最内側の弾性体から最外側の弾性体まで徐々に張力が変化するように（段々に張力が小さくなるように）構成しても構わない。
【産業上の利用可能性】
【００３５】
上述したように、本発明の吸収性物品は、極めてフィット性に優れ、かつ排泄物の横漏れを強力に防止するので、使い捨ておむつや衛生ナプキン等として利用した場合極めて有用である。
【符号の説明】
【００３６】
１  パッド型吸収性物品
１０１、３０１、５０１、７０１、９０１  吸収体
１０３、３０３、５０３、７０３、９０３  内面シート
１０５、３０５、５０５、７０５、９０５  バックシート
１０７ａ〜ｃ、１０７ｆ、３０７ａ〜ｃ、３０７ｆ〜ｇ、５０７ａ〜ｃ、５０７ｆ〜ｇ、７０７ａ〜ｉ、９０７ａ〜ｃ  弾性体
１１  吸収体介在部
１３、３３、５３、７３  サイドフラップ部
１５、３５、５５、７５  立体ギャザー
１７、３７、５７、７７、９７  側部弾性体部
３  ベルト型吸収性物品
３６、５６、７６  平面ギャザー
３９  ウエストベルト
３０９、５０９ａ〜ｂ  面ファスナー
５  テープ止め型吸収性物品
５９  係止部
７  パンツ型吸収性物品
７０８  裏面シート
７０９  表面シート
７６  パンツ外装体
７８  吸収本体
７９  ウエストギャザー
９  従来のパッド型吸収性物品
Ａ  股間部
Ｂ  鼠径部
Ｃ  大腿部
【図１】
2014042742.tif 000003
【図２】
2014042742.tif 000004
【図３】
2014042742.tif 000005
【図４】
2014042742.tif 000006
【図５】
2014042742.tif 000007
【図６】
2014042742.tif 000008
【図７】
2014042742.tif 000009